【手続補正書】
【提出日】平成17年3月3日(2005.3.3)
【手続補正１】
【補正対象書類名】明細書
【補正対象項目名】特許請求の範囲
【補正方法】変更
【補正の内容】
【特許請求の範囲】
【請求項１】
複数の車両に搭載された複数の移動局と、
該移動局と通信する道路沿いに設置された路上機を複数有し、該路上機を介して前記移動局からの情報を他の移動局に中継する基地局とからなり、複数の車両相互間で情報を通信する車両間通信システムにおいて、
前記移動局は、
前記路上機の通信範囲に入ったことを検出する通信エリア検出手段と、
前記通信エリア検出手段より前記路上機の通信範囲に入ったことを検出すると、他の移動局に送信すべき情報を、送信先移動局の識別コードと共に送信する移動局情報送信手段と、
前記通信エリア検出手段より前記路上機の通信範囲に入ったことを検出すると、他の移動局から送信された自移動局に対する情報を送信するように要求する送信要求信号を自移動局の識別コードと共に送信する要求信号送信手段と、
前記路上機から送信された情報を受信する移動局情報受信手段と、
前記移動局情報受信手段により受信された情報を報知する報知手段とを有し、
前記基地局は、
移動局から送信された情報を、前記路上機を介して受信する基地局情報受信手段と、
前記基地局情報受信手段が受信した情報を、送信先移動局の識別コードに対応づけて記憶する記憶手段と、
移動局から送信要求信号を受信したとき、受信した該移動局の識別コードに基づき前記記憶手段から該移動局に対する情報を検索する情報検索手段と、
前記情報検索手段により検索された情報を、対応する移動局がその通信範囲に存在する前記路上機から送信する基地局情報送信手段とを有することを特徴とする車両間通信システム。
【請求項２】
前記基地局情報送信手段は、送信相手先の移動局の識別コードを情報と共に送信する識別コード送信手段を有し、
前記移動局情報受信手段は、自移動局の識別コードに対応する識別コードと共に送信された情報を選択的に受信する受信情報選択手段を有することを特徴とする請求項１記載の車両間通信システム。
【請求項３】
前記移動局は、
該移動局の位置を検出する位置検出手段と、
前記位置検出手段により検出された位置データを送信すべきデータとして付け加える位置情報付加手段とを有することを特徴とする請求項１記載の車両間通信システム。
【請求項４】
前記移動局は、
移動局情報受信手段により受信された情報から、送信元の移動局の位置データを抽出する位置抽出手段と、
前記位置抽出手段により抽出された位置を報知する位置報知手段を有することを特徴とする請求項３記載の車両間通信システム。
【請求項５】
前記位置報知手段は、
地図データを記憶する地図データ記憶手段と、
前記地図データ記憶手段に記憶された地図データから地図を描画する地図描画手段と、
前記地図描画手段により描画された地図上における前記位置抽出手段により抽出された位置に、送信元の移動局を示すマークを表示する位置表示手段とを有することを特徴とする請求項４記載の車両間通信システム。
【請求項６】
前記移動局は、
前記位置検出手段による位置検出時刻データを送信すべきデータとして付け加える時刻情報付加手段を有することを特徴とする請求項３、請求項４または請求項５記載の車両間通信システム。
【請求項７】
前記移動局は、
移動局情報受信手段により受信された情報から、送信元の移動局の位置検出時刻データを抽出する時刻抽出手段と、
前記時刻抽出手段により抽出された位置検出時刻を報知する時刻報知手段を有することを特徴とする請求項６記載の車両間通信システム。
【請求項８】
複数の車両に搭載された複数の移動局と、
該移動局と通信する道路沿いに設置された路上機を複数を有し、該路上機を介して前記移動局からの情報を他の移動局に中継する基地局とからなり、複数の車両相互間で情報を通信する車両間通信システムにおいて、
前記路上機の通信範囲に入ったことを検出する通信エリア検出手段と、
前記通信エリア検出手段より前記路上機の通信範囲に入ったことを検出すると、他の移動局に送信すべき情報を、送信先移動局の識別コードと共に送信する移動局情報送信手段と、
前記通信エリア検出手段より前記路上機の通信範囲に入ったことを検出すると、他の移動局から送信された自移動局に対する情報を送信するように要求する送信要求信号を自移動局の識別コードと共に送信する要求信号送信手段と、
前記路上機から送信された情報を受信する移動局情報受信手段と、
前記移動局情報受信手段により受信された情報を報知する報知手段とを有することを特徴とする移動局。
【手続補正２】
【補正対象書類名】明細書
【補正対象項目名】０００１
【補正方法】変更
【補正の内容】
【０００１】
【発明の属する技術分野】  本発明は、複数の車両相互間で情報通信する車両間通信システムに関する。
【手続補正３】
【補正対象書類名】明細書
【補正対象項目名】０００６
【補正方法】変更
【補正の内容】
【０００６】
【課題を解決するための手段】
上記目的を達成するために本発明は、複数の車両に搭載された複数の移動局と、該移動局と通信する道路沿いに設置された路上機を複数有し、該路上機を介して前記移動局からの情報を他の移動局に中継する基地局とからなり、複数の車両相互間で情報を通信する車両間通信システムにおいて、前記移動局は、前記路上機の通信範囲に入ったことを検出する通信エリア検出手段と、前記通信エリア検出手段より前記路上機の通信範囲に入ったことを検出すると、他の移動局に送信すべき情報を、送信先移動局の識別コードと共に送信する移動局情報送信手段と、前記通信エリア検出手段より前記路上機の通信範囲に入ったことを検出すると、他の移動局から送信された自移動局に対する情報を送信するように要求する送信要求信号を自移動局の識別コードと共に送信する要求信号送信手段と、前記路上機から送信された情報を受信する移動局情報受信手段と、前記移動局情報受信手段により受信された情報を報知する報知手段とを有し、前記基地局は、移動局から送信された情報を、前記路上機を介して受信する基地局情報受信手段と、前記基地局情報受信手段が受信した情報を、送信先移動局の識別コードに対応づけて記憶する記憶手段と、移動局から送信要求信号を受信したとき、受信した該移動局の識別コードに基づき前記記憶手段から該移動局に対する情報を検索する情報検索手段と、前記情報検索手段により検索された情報を、対応する移動局がその通信範囲に存在する前記路上機から送信する基地局情報送信手段とを有することを特徴とするものである。
【手続補正４】
【補正対象書類名】明細書
【補正対象項目名】０００９
【補正方法】変更
【補正の内容】
【０００９】
また、前記移動局は、前記位置検出手段による位置検出時刻データを送信すべきデータとして付け加える時刻情報付加手段を有することを特徴とするものである。
また、前記移動局は、移動局情報受信手段により受信された情報から、送信元の移動局の位置検出時刻データを抽出する時刻抽出手段と、前記時刻抽出手段により抽出された位置検出時刻を報知する時刻報知手段を有することを特徴とするものである。
また、本発明に係る移動局は、複数の車両に搭載された複数の移動局と、該移動局と通信する道路沿いに設置された路上機を複数を有し、該路上機を介して前記移動局からの情報を他の移動局に中継する基地局とからなり、複数の車両相互間で情報を通信する車両間通信システムにおいて、前記路上機の通信範囲に入ったことを検出する通信エリア検出手段と、前記通信エリア検出手段より前記路上機の通信範囲に入ったことを検出すると、他の移動局に送信すべき情報を、送信先移動局の識別コードと共に送信する移動局情報送信手段と、前記通信エリア検出手段より前記路上機の通信範囲に入ったことを検出すると、他の移動局から送信された自移動局に対する情報を送信するように要求する送信要求信号を自移動局の識別コードと共に送信する要求信号送信手段と、前記路上機から送信された情報を受信する移動局情報受信手段と、前記移動局情報受信手段により受信された情報を報知する報知手段とを有することを特徴とする。